(57)【要約】      （修正有）【課題】持ち運びに供するタブレットＰＣの保護および、液晶の汚れを簡単に拭うことができ、快適な使用感を有するタブレットＰＣカバーを提供する。【解決手段】タブレットＰＣカバー本体１を、弾性材料を布で挟んで接着した材料で製作し、タブレットＰＣ２を包み込んで外部からの衝撃や埃から保護すると共に、下部カバー内面の４つのコーナーに袋状のコーナー押え５を取り付けてタブレットＰＣ２を固定し、上部カバー３の自由端側の２つのコーナーに極細繊維でできた布小片のクリーナー７を取り付けたタブレットＰＣカバー１。【選択図】図４
0003181395.tif 000002
【実用新案登録請求の範囲】
【請求項１】
タブレットＰＣ、(公序良俗違反につき、不掲載）、タッチパネル等の液晶画面に指を触れて操作する持ち運び電子機器を外部の衝撃や埃から保護する折りたたみ式のソフトケースにおいて、該ソフトケースが弾性材料を使用した柔軟性材料からできており、かつ、上部カバーと下部カバーからなり、該下部カバーの４箇所のコーナー内面に該電子機器を固定するコーナー押えを取り付け、該上部カバーの自由端の２箇所のコーナー内面に該液晶画面の汚れを除去するクリーナーを取り付けたことを特徴とするタブレットＰＣカバー。
【請求項２】
上記液晶画面の汚れを除去するクリーナーを、上記上部カバーの自由端コーナー２箇所の内の１箇所の内面、または、自由端中央部内面、または、上部カバー内面全面に取り付けたことを特徴とする請求項１記載のタブレットＰＣカバー。
【考案の詳細な説明】
【技術分野】
【０００１】  タブレットＰＣ、ｉＰａｄ、タッチパネル等の液晶画面に指を触れて操作する持ち運び電子機器の保護と液晶画面の汚れを除去するクリーナーを備えたタブレットＰＣのソフトケースに関するものである。
【背景技術】
【０００２】  タブレットＰＣ、ｉＰａｄ、タッチパネル等の液晶画面に指を触れて操作する持ち運び電子機器は、本体を外部からの衝撃や埃から保護するための収納ケースとして、レザーケース、プラスチックケース、布ケース等が製作されている。また、これらの機器は液晶画面が露出しており、度々指で触れて操作するため手の油・水分・手垢等が画面に付着し表示が見づらくなる。液晶の汚れを除去するために、極細繊維の布小片等でできたクリーナーが一般に使われている。上記電子機器の携帯者は、この布小片を鞄またはポケットに収納しておき、必要な時に取り出して手で拭き取るために使用するか、または、この布小片にストラップを付けてタブレットＰＣ等に接続して携帯し必要時に手で拭き取るために使用することが行なわれている。他には、クリーナー材料で指袋を作り指に嵌めて使用するクリーナーもある。
【先行技術文献】
【特許文献】
【０００３】
【特許文献１】登録実用３１７４１１９（Ｕ３１７４１１９）「タブレット型コンピュータ用保護ケース」
【特許文献２】登録実用３１４７５３９（Ｕ３１４７５３９）「携帯電話器とメガネ拭きを兼ねたケース入りクリーナー」
【特許文献３】特許４９５０３４９（Ｐ４９５０３４９）「タッチパネル操作具」
【考案の概要】
【考案が解決しようとする課題】
【０００４】  タブレットＰＣ（本書では、タブレットＰＣ、ｉＰａｄ、タッチパネル等の液晶画面に指を触れて操作する持ち運び電子機器を総称してタブレットＰＣと称する）は、外部からの衝撃や埃から保護する必要があるだけでなく、液晶画面に直接指で触れて繰り返し操作するため、手の油・水分・手垢等が付き、画面表示が見づらくなる。また、画面が汚れ見た目も悪い。極細繊維の布小片等でできたクリーナーを単独で携帯、またはストラップを付けて携帯して、これを手で持ち汚れを拭うことが行なわれているが、ポケットや鞄に収納している布小片を取り出すことは面倒であるし、タブレットＰＣにストラップを接続することは見た目も悪くタブレットＰＣ使用の邪魔にもなる。
【課題を解決するための手段】
【０００５】  そこで、本考案者は、タブレットＰＣを保護でき、液晶画面の汚れもすぐに除去することができるタブレットＰＣカバーを考案した。タブレットＰＣカバー本体は、ネオプレンゴム製スポンジ等の薄い弾性材料を布で挟んで接着した材料でできており、外部からの衝撃を吸収できる。このタブレットＰＣカバーは、二つ折りでき中央部付近を折り畳んでタブレットＰＣを包み込む構造で、下部カバーと上部カバーからなる。【０００６】  下部カバーの４箇所のコーナー内面には袋状のコーナー押えが縫製されており、この部分にタブレットＰＣの４箇所のコーナーを嵌め込んでタブレットＰＣを固定する。また、上部カバーの自由端側の２つのコーナー内面には、極細繊維等でできた布小片のクリーナーが縫製されていて、タブレットＰＣの液晶画面が汚れた時に、その部分を指で摘まんで液晶表面に当てて汚れを拭い取る。また、下部カバーの自由端中央部に耳を付け、耳の内面にマジックテープを張り付けてあり、タブレットＰＣカバーを二つ折りして畳んだ後、耳を折り曲げて上部カバーの外面に取り付けたマジックテープと接合する構造である。【０００７】  請求項２の考案は、クリーナーの取り付け位置を変えたもので、タブレットＰＣの画面のどの位置にも届くようにすればよく、取り付け位置としては上部カバー内面で、請求項１の自由端のコーナー２箇所の他に、自由端コーナー２箇所の内の１箇所でもよく、また、自由端中央部でもよい。また、上部カバー内面全面でも良い。
【考案を実施するための形態】
【０００８】
【実施例１】
【０００９】  本考案品の実施例を、図を用いて説明する。図１は、本考案のタブレットＰＣカバーでタブレットＰＣを包み込んだ状態図である。図２は、本考案のタブレットＰＣカバーの内面展開図である。図３は、本考案のタブレットＰＣカバーの外面展開図である。図４は、本考案のタブレットＰＣカバーでタブレットＰＣを固定し、上部カバーを開いた状態である。図２において、下部カバー４の４箇所コーナー内面にはコーナー押え５が縫製されている。このコーナー押え５の内側は開いておりタブレットＰＣ２のコーナーが丁度嵌まるようになっている。【００１０】  また、上部カバー３の自由端の２箇所のコーナー内面には、クリーナー７が縫製されている。タブレットＰＣ２の液晶画面の汚れを除去するときは、手で上部カバー３の自由端のコーナーを摘まんで、クリーナー７を液晶画面にあてて画面上を往復する。どちらのコーナーのクリーナー７を使用しても良いが、使い勝手と画面全体に届くようにするために２箇所用意している。タブレットＰＣカバー１本体が、柔軟性のある材料で作られているために拭きとり操作が容易である。【００１１】  さらに、下部カバー４の自由端の中央部には止め耳６が付いている。この止め耳６の内側表面には凹マジックテープ９が縫製されている。タブレットＰＣカバーを折り畳んだ後、この止め耳６を折り曲げて、上部カバー３の自由端の中央部外面に縫製された凸マジックテープ８と接合することにより、上部カバー３が勝手に開かないようになっている。【００１２】  タブレットＰＣ２の運搬中または非使用時には、図１の状態にし、タブレットＰＣカバー１を折り畳んでタブレットＰＣ２を覆い保護するが、タブレットＰＣ２の使用時には、図４のように、止め耳６を外し、上部カバー３を上方へ折り返して液晶の指操作の邪魔にならないようにする。【００１３】  図２、図３、図４の上部カバー３と下部カバー４周囲の破線は、タブレットＰＣカバー本体の材料がネオプレンゴム製スポンジ等の薄い弾性材料を布で挟んで接着した材料でできており、中の弾性材料がはみ出たり、布のカット面がほぐれることを防止するために、周囲の端面に細長い布をあてて縫製した縫製線である。【００１４】  本考案のタブレットＰＣカバー１のクリーナー７は、マイクロファイバー等の極細繊維や鹿皮が使われているが、汚れの除去効果の高い材料であれば何でも良い。【００１５】  本考案では、タブレットＰＣを運搬中または非使用時に上部カバー３がめくれ上がったり、ずれたりして液晶が露出しないように、上部カバー３を下部カバー４の止め耳６にマジックテープ８，９で接合する構造であるが、マジックテープ８，９の代わりに、ボタン止め、スナップボタン・ホックボタン止めにできることは言うまでもない。また、下部カバー４に止め耳６を付けずに、タブレットＰＣカバー１を折り畳んだ後、カバー全体に外部よりバンドを嵌めて上部カバー３が開かないようにすることもできる。【００１６】  本考案のタブレットＰＣカバー１のコーナー押え５は、タブレットＰＣ２の液晶画面表示を邪魔するほど大きさはなく、しかも、十分にタブレットＰＣ２を固定できるものである。【００１７】  本考案のタブレットＰＣカバー１本体は、ネオプレンゴム製の薄い弾性材料を布で挟んで接着した材料で製作しているが、他のシート状の弾性材料の使用も可能であることは言うまでもない。【００１８】  タブレットＰＣ２のサイズも色々あるが、タブレットＰＣ２のサイズ合わせたタブレットＰＣカバー１を用意する。【００１９】
【考案の効果】
【００２０】  本考案のタブレットＰＣカバーを使用すれば、タブレットＰＣを外部の衝撃や埃から保護でき、タブレットＰＣ使用前および使用中の液晶画面の汚れをポケットや鞄から布小片を取り出すことなく簡単に拭うことができる。また、クリーナーが目立たなく見た目も良い。
【図面の簡単な説明】
【００２１】
【図１】図１は、本考案のタブレットＰＣカバーでタブレットＰＣを包み込んだ状態図である。
【図２】図２は、本考案のタブレットＰＣカバーの内面展開図である。
【図３】図３は、本考案のタブレットＰＣカバーの外面展開図である。
【図４】図４は、本考案のタブレットＰＣカバーでタブレットＰＣを固定し、上部カバーを開いた状態である。
【産業上の利用可能性】
【００２２】  持ち運びに供するタブレットＰＣの保護および、液晶の汚れを簡単に拭うことができ、快適な使用感を提供する。
【符号の説明】
【００２３】１．タブレットＰＣカバー
２．タブレットＰＣ
３．上部カバー
４．下部カバー
５．コーナー押え
６．止め耳
７．クリーナー
８．凸マジックテープ
９．凹マジックテープ
【図１】
0003181395.tif 000003
【図２】
0003181395.tif 000004
【図３】
0003181395.tif 000005
【図４】
0003181395.tif 000006
【手続補正書】
【提出日】平成24年10月23日(2012.10.23)
【手続補正１】
【補正対象書類名】実用新案登録請求の範囲
【補正対象項目名】全文
【補正方法】変更
【補正の内容】
【実用新案登録請求の範囲】
【請求項１】
液晶画面に指を触れて操作する持ち運び電子機器を外部の衝撃や埃から保護する折りたたみ式のソフトケースにおいて、該ソフトケースが弾性材料を使用した柔軟性材料からできており、かつ、上部カバーと下部カバーからなり、該下部カバーの４箇所のコーナー内面に該電子機器を固定するコーナー押えを取り付け、該上部カバーの自由端の２箇所のコーナー内面に該液晶画面の汚れを除去するクリーナーを取り付けたことを特徴とするタブレットＰＣカバー。
【請求項２】
上記液晶画面の汚れを除去するクリーナーを、上記上部カバーの自由端コーナー２箇所の内の１箇所の内面、または、自由端中央部内面、または、上部カバー内面全面に取り付けたことを特徴とする請求項１記載のタブレットＰＣカバー。
【手続補正２】
【補正対象書類名】明細書
【補正対象項目名】全文
【補正方法】変更
【補正の内容】
【考案の詳細な説明】
【技術分野】
【０００１】  液晶画面に指を触れて操作する持ち運び電子機器の液晶画面の汚れを除去するクリーナーを備えたソフトケースに関するものである。これらの電子機器は、タブレットＰＣ、ｉＰａｄ（登録商標）、タッチパネルと呼ばれることがある。以降、本書ではタブレットＰＣと称する。
【背景技術】
【０００２】  タブレットＰＣは、本体を外部からの衝撃や埃から保護するための収納ケースとして、レザーケース、プラスチックケース、布ケースが製作されている。また、これらの機器は液晶画面が露出しており、度々指で触れて操作するため手の油・水分・手垢等が画面に付着し表示が見づらくなる。液晶の汚れを除去するために、極細繊維の布小片等でできたクリーナーが一般に使われている。上記電子機器の携帯者は、この布小片を鞄またはポケットに収納しておき、必要な時に取り出して手で拭き取るために使用するか、または、この布小片にストラップを付けてタブレットＰＣに接続して携帯し必要時に手で拭き取るために使用することが行なわれている。他には、クリーナー材料で指袋を作り指に嵌めて使用するクリーナーもある。
【先行技術文献】
【特許文献】
【０００３】
【特許文献１】登録実用３１７４１１９（Ｕ３１７４１１９）「タブレット型コンピュータ用保護ケース」
【特許文献２】登録実用３１４７５３９（Ｕ３１４７５３９）「携帯電話器とメガネ拭きを兼ねたケース入りクリーナー」
【特許文献３】特許４９５０３４９（Ｐ４９５０３４９）「タッチパネル操作具」
【考案の概要】
【考案が解決しようとする課題】
【０００４】  タブレットＰＣは、外部からの衝撃や埃から保護する必要があるだけでなく、液晶画面に直接指で触れて繰り返し操作するため、手の油・水分・手垢等が付き、画面表示が見づらくなる。また、画面が汚れ見た目も悪い。極細繊維の布小片等でできたクリーナーを単独で携帯、またはストラップを付けて携帯して、これを手で持ち汚れを拭うことが行なわれているが、ポケットや鞄に収納している布小片を取り出すことは面倒であるし、タブレットＰＣにストラップを接続することは見た目も悪くタブレットＰＣ使用の邪魔にもなる。
【課題を解決するための手段】
【０００５】  そこで、本考案者は、タブレットＰＣを保護でき、液晶画面の汚れもすぐに除去することができるタブレットＰＣカバーを考案した。タブレットＰＣカバー本体は、クロロプレンゴム製スポンジ等の薄い弾性材料を布で挟んで接着した材料でできており、外部からの衝撃を吸収できる。このタブレットＰＣカバーは、二つ折りでき中央部付近を折り畳んでタブレットＰＣを包み込む構造で、下部カバーと上部カバーからなる。【０００６】  下部カバーの４箇所のコーナー内面には袋状のコーナー押えが縫製されており、この部分にタブレットＰＣの４箇所のコーナーを嵌め込んでタブレットＰＣを固定する。また、上部カバーの自由端側の２つのコーナー内面には、極細繊維でできた布小片のクリーナーが縫製されていて、タブレットＰＣの液晶画面が汚れた時に、その部分を指で摘まんで液晶表面に当てて汚れを拭い取る。また、下部カバーの自由端中央部に耳を付け、耳の内面に面ファスナーを張り付けてあり、タブレットＰＣカバーを二つ折りして畳んだ後、耳を折り曲げて上部カバーの外面に取り付けた面ファスナーと接合する構造である。【０００７】  請求項２の考案は、クリーナーの取り付け位置を変えたもので、タブレットＰＣの画面のどの位置にも届くようにすればよく、取り付け位置としては上部カバー内面で、請求項１の自由端のコーナー２箇所の他に、自由端コーナー２箇所の内の１箇所でもよく、また、自由端中央部でもよい。また、上部カバー内面全面でも良い。
【考案を実施するための形態】
【０００８】
【実施例１】
【０００９】  本考案品の実施例を、図を用いて説明する。図１は、本考案のタブレットＰＣカバーでタブレットＰＣを包み込んだ状態図である。図２は、本考案のタブレットＰＣカバーの内面展開図である。図３は、本考案のタブレットＰＣカバーの外面展開図である。図４は、本考案のタブレットＰＣカバーでタブレットＰＣを固定し、上部カバーを開いた状態である。図２において、下部カバー４の４箇所コーナー内面にはコーナー押え５が縫製されている。このコーナー押え５の内側は開いておりタブレットＰＣ２のコーナーが丁度嵌まるようになっている。【００１０】  また、上部カバー３の自由端の２箇所のコーナー内面には、クリーナー７が縫製されている。タブレットＰＣ２の液晶画面の汚れを除去するときは、手で上部カバー３の自由端のコーナーを摘まんで、クリーナー７を液晶画面にあてて画面上を往復する。どちらのコーナーのクリーナー７を使用しても良いが、使い勝手と画面全体に届くようにするために２箇所用意している。タブレットＰＣカバー１本体が、柔軟性のある材料で作られているために拭きとり操作が容易である。【００１１】  さらに、下部カバー４の自由端の中央部には止め耳６が付いている。この止め耳６の内側表面には凹面ファスナー９が縫製されている。タブレットＰＣカバーを折り畳んだ後、この止め耳６を折り曲げて、上部カバー３の自由端の中央部外面に縫製された凸面ファスナー８と接合することにより、上部カバー３が勝手に開かないようになっている。【００１２】  タブレットＰＣ２の運搬中または非使用時には、図１の状態にし、タブレットＰＣカバー１を折り畳んでタブレットＰＣ２を覆い保護するが、タブレットＰＣ２の使用時には、図４のように、止め耳６を外し、上部カバー３を上方へ折り返して液晶の指操作の邪魔にならないようにする。【００１３】  図２、図３、図４の上部カバー３と下部カバー４周囲の破線は、タブレットＰＣカバー本体の材料がクロロプレンゴム製スポンジの薄い弾性材料を布で挟んで接着した材料でできており、中の弾性材料がはみ出たり、布のカット面がほぐれることを防止するために、周囲の端面に細長い布をあてて縫製した縫製線である。【００１４】  本考案のタブレットＰＣカバー１のクリーナー７は、マイクロファイバー等の極細繊維や鹿皮が使われているが、汚れの除去効果の高い材料であれば何でも良い。【００１５】  本考案では、タブレットＰＣを運搬中または非使用時に上部カバー３がめくれ上がったり、ずれたりして液晶が露出しないように、上部カバー３を下部カバー４の止め耳６に面ファスナー８，９で接合する構造であるが、面ファスナー８，９の代わりに、ボタン止め、スナップボタン・ホックボタン止めにできることは言うまでもない。また、下部カバー４に止め耳６を付けずに、タブレットＰＣカバー１を折り畳んだ後、カバー全体に外部よりバンドを嵌めて上部カバー３が開かないようにすることもできる。【００１６】  本考案のタブレットＰＣカバー１のコーナー押え５は、タブレットＰＣ２の液晶画面表示を邪魔するほど大きさはなく、しかも、十分にタブレットＰＣ２を固定できるものである。【００１７】  本考案のタブレットＰＣカバー１本体は、クロロプレンゴム製の薄い弾性材料を布で挟んで接着した材料で製作しているが、他のシート状の弾性材料の使用も可能であることは言うまでもない。【００１８】  タブレットＰＣ２のサイズも色々あるが、タブレットＰＣ２のサイズ合わせてタブレットＰＣカバー１を製作する。【００１９】
【考案の効果】
【００２０】  本考案のタブレットＰＣカバーを使用すれば、タブレットＰＣを外部の衝撃や埃から保護でき、タブレットＰＣ使用前および使用中の液晶画面の汚れをポケットや鞄からクリーナーを取り出すことなく簡単に拭うことができる。また、クリーナーが目立たなく見た目も良い。
【図面の簡単な説明】
【００２１】
【図１】図１は、本考案のタブレットＰＣカバーでタブレットＰＣを包み込んだ状態図である。
【図２】図２は、本考案のタブレットＰＣカバーの内面展開図である。
【図３】図３は、本考案のタブレットＰＣカバーの外面展開図である。
【図４】図４は、本考案のタブレットＰＣカバーでタブレットＰＣを固定し、上部カバーを開いた状態である。
【産業上の利用可能性】
【００２２】  持ち運びに供するタブレットＰＣの保護および、液晶の汚れを簡単に拭うことができ、快適な使用感を提供する。
【符号の説明】
【００２３】１．タブレットＰＣカバー
２．タブレットＰＣ
３．上部カバー
４．下部カバー
５．コーナー押え
６．止め耳
７．クリーナー
８．凸面ファスナー
９．凹面ファスナー